(57)【要約】      （修正有）【課題】  不要な反射音を軽減し、直接音の周波数成分を好みの加減で変化させ、音質の微調整ができる。【解決手段】耳の傍に軽量で遮音効果のある素材の遮音板１を、不要な反射音を遮るような角度で保持できるように土台の可倒管２と、小さいフレキシブルアーム３で繋いだ構造の器具。球状可動支持部６を持つので角度変更、回転が可能で、自在にセットできる。また、遮音材１の内側は音響効果を考慮して適度に曲面の半楕円球状の凹みを設けてある。そして、その遮音材１の内側表面材４は異なった材質で数種類用意し、クリップ５で脱着交換する。高音改善用には硬い木類、金属箔、プラスチック類を内側表面材４に、表面材小片９としてマジックテープや粘着材で貼り付け、音質のチューニングの補助的なものとして使用する。棒状アルミ芯材８を曲げたり、伸ばしたりして遮音板１の凹みのカーブを変化させ、耳に反射する量や、残響レベルを加減する。【選択図】図１
2006030928.tif 000002
【特許請求の範囲】
【請求項１】
本発明は、この器具の遮音板１部分で不要な室内の反射音を遮り、その角度等を調整し、さらに素材を選択することにより音質を任意に変化させられるもの。具体的には、遮音板１は土台となる可倒管２にクリップ５で耳が中央に位置するように固定される。調整が必要な場合は、クリップ５の横移動、フレキシブルアーム３の曲げ伸ばし、球状可動支持部６を角度変更、回転させることによって行う。遮音板１自体の形状は、内側の全体に適度の深さで半楕円球状に湾曲させたものである。遮音板１は芯の部分であり、軽量、遮音の目的でウレタンフォーム、スポンジ等で作製。その外側の表面材７には、吸音効果のある起毛した生地や、防音性能のあるゴム質系での仕上げとする。また、微妙な音響特性や音色の違いを楽しむためのものである内側表面材４としては、メインとなるタイプになるべく中音域の改善が望める、皮膚のような質感のシリコンゴム類や、特に柔らかなスポンジ類で仕上げたもの。もう一つのタイプは、逆に内側の反射音さえ極力排除し、より純粋な直接音が得られるように、音を吸収しやすいもの。例えば、マジックテープの受け側のふんわりした素材や、毛足が長くて緻密なベルベット等の繊維類を用意する。高音改善用には硬い木類、金属箔、プラスチック類。これらは内側表面材４に、表面材小片９としてマジックテープや粘着材で貼り付け、音質のチューニングの補助的なものとして使用する。さらに、高域のレベルが大きく耳鳴りのように感じる場合は、棒状アルミ芯材８を曲げたり、伸ばしたりして遮音板１の凹みのカーブを変化させる。この調整では、耳から遠ざけずに反射する量や、残響レベルを加減できる。土台となる可倒管２は曲げの力に対して変形した形状で強く安定するもので、軽量な体型に合わせやすい可倒管が相応しい。以上のような部品で構成され、音質の微調整が可能な器具。
【発明の詳細な説明】
【技術分野】
【０００１】  この発明は、音楽鑑賞の際、悪影響を及ぼす部屋の壁面等からの反射音を、耳の傍に遮音板１を設けて低減させるもの。そして、その内側では直接音のみを角度等調整と表面素材を選択することにより、好みの加減で原音の周波数成分を変化させ、音質の微調整を可能にする器具に関するものである。
【背景技術】
【０００２】  音質の補正を電気信号で行うと音質を劣化させ、デジタル信号段階で補正すると特殊な機器が必要である。実際、音楽鑑賞用の再生装置では音質に拘る機器ほど補正する機能が備わっていない。また、室内自体の音響効果を良くする場合も、大がかりで高い専門知識と経験が必要なことが多い。カーテン等でそれなりに成果は上がるものの、効果は残響の軽減程度が主である。あらゆるジャンルの様々な音楽ソースに対して、それぞれを微妙に効果的に補正できるようにするというのは非常に困難である。しかも、調整が簡単で価格が安く、耳の聴力を補う目的から音質改善に至るまで幅広く活用できる機能を備えているものはない。
【発明の開示】
【発明が解決しようとする課題】
【０００３】  音楽鑑賞をする場合の問題として、まず、人には年齢や能力等の差で聴力に個人差が生じている。また、室内の広さや構造・家具類によって音響の条件が異なる。音楽ジャンルによっても、装置の好ましい特性が違う。根本的に高音質の音楽ソフトが少なく、一般的にいう歌謡曲とは大きな音質の差がある。最近は、自宅にホームシアターとして購入した機器で音楽を楽しむ人が増えている。しかし、音楽鑑賞用としての２ｃｈ機器の音質も満足するのが難しいものなので、多ｃｈのＡＶ機器は一般的に音質が劣ってしまっているのは当然である。同程度なら条件が悪いので、音楽ソフトを聴いても感動がなかなか伝わらない。
非常に優れた高音質な再生装置で鑑賞することができるとしても、かえって僅かな欠点も忠実に再生されてしまい、何でもどんな音楽ソフトでも期待する音質で楽しめる訳ではない。いい音を聞きたければ、音楽鑑賞に堪える高音質のソフトに限定されてしまうのである。結局、流行に全く無縁の音楽性の乏しいソフト収集は、周囲に理解されにくく認められにくいので情熱が冷めてしまう。いい音楽がない、たった一つの音色しか出ないのでは、いつの間にか厭きてしまうのである。本発明の目的は、聴力が落ち聞き取りにくくなった人、装置の音が気に入らない、いわゆるトーンコントロール機能のない装置の人、備わっていても使いたくない人、録音の質が悪い場合でも、できる限りそれを補おうとするものである。今の装置の音をもっと楽しめるように発明したものである。
【課題を解決するための手段】
【０００４】  それぞれの耳の傍に軽量で遮音効果のある遮音板１は、不要な反射音を遮るような角度で保持できるように土台の可倒管２にクリップ５で固定される。クリップ５は小さいフレキシブルアーム３に繋がっており反対側が球状可動支持部６で、遮音板１に連結している。この部品の構造によって、耳との距離、左右の位置、スピーカーとの角度、向き等必要と考えうる全ての調整操作ができる。また、遮音板１の内側は音響効果を考慮して適度に曲面の凹みを設けてある。この凹みのカーブの具合は遮音板１に埋め込んだ自由に曲がる棒状アルミ芯材８で加減できる。そして、その遮音板１の外側表面材７は遮音効果を高めるもの。内側表面材４は直接音の一部に内側反射音を利用して、任意に補正を加えるものである。高域希望なら硬質のもの、通常であれば耳自体の感触に近い柔らかなもの、純粋に直接音を望むなら吸音性能の高いもののように、異なった材質でできたものを数種類用意する。表面材小片９も用意しておくと、さらに微妙な音質の差が楽しめる。
これは、主に９つの部品で構成される器具で、基本的な本来の目的は、低域が不必要に多い場合、簡単に壁面等からの反射音を遮れるよう、耳を覆うことによってその働きを持たせたものである。しかし、さらに原音の補正まで目指す本発明は、微妙な違いのある内側表面材４の選別、遮音板１の調整が非常に重要である。なぜなら、遮音板１自体のサイズを大きくしにくいので、内側表面材４による反射音が高音に偏ってしまいやすいからである。よってポイントとしてまず、メインの内側表面材４には極力やわらかい物、より低い音域に改善効果のあるものを選択することである。また、構造上もし遮音板１が小さ過ぎると、反射の音量が不足してしまい易く、それで耳に近づけると一層高音域だけしか反射されない中途半端な結果となる。音質的には遮音板１の大きさは少しでも大きい方が有利であるが、現実的には、１０ｃｍ〜１５ｃｍ程度の大きさが妥当と思われる。さらに、遮音板１の凹みのカーブがきついと高音と残響が目立つ傾向が強まる。その際に、棒状アルミ芯材８で加減するのである。広げたり、距離をとると、音が低く残響レベルが少なくできる。基本的な音響特性と調整の注意は以上のような点である。
【発明の効果】
【０００５】  本発明の器具を装着した際の調整具合にもよるが、まず、聴力を高めることができる。耳から多少離しても内側表面材４によっては効果は大きく、音質を相当に変える能力を持っている。ヘッドホンのように定位感が向上し、微小な音まで耳元のように明瞭に識別できるようになる。次に、ボリュームを上げて聴くと聴感上乱れたような感覚、低域の反射音が不快に作用するものであるが、これを軽減できるので、音がすっきり感じられるようになる。小音量の際は、特に小さなレベルの高音が聞き取りにくいに拘わらず、遮音板１をより近づけるだけで音がはっきり聴けるようになる。部屋の残響特性、音楽ソフトの録音の質、音楽ジャンルの不適正等によって生じる不満足な点も、調整によっては歴然と解るほどの効果を発揮できる。
具体的には、日本の市場で圧倒的に比重の大きい歌謡曲では録音の優れないソフトが殆どであるが、この器具を着用して聞くと、ボーカルが遠く不明瞭であったものが、はっきり聞き取れるように改善されるのである。ジャズ等の楽器を楽しむ音楽の場合は、高域の金属音を強調することもできるため、鮮明な臨場感溢れる音に変化させられる。さすがにこの器具が歪んだ音を復元できるものではないものの、聞こえにくかった音をはっきり浮き立たせるような、解像度を高められるのと同様な効果を得ることができるのである。さらに、後方からも音を感じるので、まさにサラウンド、２ｃｈでありながらその演奏の中に居るように聞こえてくる効果を持たせられるのはユニークである。
満足できる音質、本当に永く感動を楽しめる音質は非常に難解なもので、年齢を重ねて聴力の変化、好みのジャンルの移行、さらに、自分の体調や精神状態でも変わってしまう。難題が多い音楽鑑賞のハードの面で、この器具は全く別の角度から満足度を高めるための一つの手段である。
【発明を実施するための最良の形態】
【０００６】  遮音板１は土台となる可倒管２にクリップ５で耳が中央に位置するように固定される。調整が必要な場合は、クリップ５の横移動、フレキシブルアーム３の曲げ伸ばし、球状可動支持部６を角度変更、回転させることによって行う。遮音板１自体の形状は、内側全体に適度の深さで半楕円球状に湾曲させたものである。遮音板１は芯の部分を示すもので、この材質として、軽量のウレタンフォーム、スポンジ等を使用。その効果をさらに高めるために、外側表面材７は耳側に音を侵入させにくいもの、吸音効果のある起毛した生地、防音性能のあるゴム系材で作製。微妙な音響特性や音色の違いを楽しむためのものである内側表面材４としては、メインとなるタイプになるべく中音域の改善が望める、皮膚のような質感のシリコンゴム類や、特に柔らかなスポンジ類で仕上げるもの。もう一つのタイプは、逆に内側の反射音さえ極力排除し、より純粋な基準の音質として直接音が得られるような、音を吸収しやすいもの。例えば、マジックテープの受け側のふんわりした素材や、毛足が長くて緻密なベルベット等の繊維類を用意する。高音改善用には硬い木類、金属箔、プラスチック類。これらは内側表面材４に、表面材小片９としてマジックテープや粘着材で貼り付け、音質のチューニングの補助的なものとして使用する。さらに、高域のレベルが大きく耳鳴りのように感じる場合は、３〜４本の棒状アルミ芯材８を曲げたり、伸ばしたりして遮音板１の凹みのカーブを変化させる。この調整では、耳から遠ざけずに反射する量や、残響レベルを加減できる。これら反射板１を取り付ける土台となる可倒管２は、曲げの力に対して反動のない、変形した形状で強く安定する可倒管材が相応しい。使用者の体型に合わせて曲げて、きちんとフィットさせられる機能を持たせるためである。
本発明において音質調整以外にも重要なことは、いかに疲労感が少ないように軽量にできるか、この器具を自由に調整できるかである。その一つの対応策として、可倒管２から遮音板１を外せる構造としているので、遮音板１をキャップの庇やバイザー等にもセットできる。この使い方なら頭が動いても問題ないので、自由に動作ができるし、疲労も少ないので、どちらの選択でも全く構わない。
【図面の簡単な説明】
【０００７】
【図１】  本発明の基本形で、可倒管２に組み合わせた時の全体の斜視図である。
【図２】  遮音板１とそれに付随する部分の構造図。斜視図である。
【符号の説明】
【０００８】  １  遮音板      ２  可倒管    ３  フレキシブルアーム    ４  内側表面材
５  クリップ    ６  球状可動支持部    ７  外側表面材    ８  棒状アルミ芯材
９  表面材小片
【図１】
2006030928.tif 000003
【図２】
2006030928.tif 000004